(57)【要約】【課題】簡易な構造で水圧（水深）と大気圧を測定可能な電子機器及び撮像装置を提供する。【解決手段】デジタルカメラ１において、筐体１０は、通気孔７１を塞ぐ防水通気膜７２を有する。コントローラ１１０は、筐体１０内の気圧センサ９２ａによって検出される検出気圧値Ｐに基づいて、筐体１０の水深値Ｄを算出する。【選択図】図８
2012163938.tif 000002
【特許請求の範囲】
【請求項１】
通気孔と前記通気孔を塞ぐ防水通気膜とを有する水密構造の筐体と、
前記筐体内に配置され、前記筐体内の気圧を検出する気圧センサと、
前記気圧センサによって検出される検出気圧値に基づいて、前記筐体にかかる水圧及び前記筐体の水深のうち少なくとも一方を算出するコントローラと、
を備える電子機器。
【請求項２】
前記コントローラは、
前記検出気圧値と基準気圧値との差分を算出する差分算出部と、
前記差分に基づいて前記水圧及び前記水深のうち少なくとも一方を算出する水深算出部と、
を有する、
請求項１に記載の電子機器。
【請求項３】
前記コントローラは、水深を計測する水深計測モードがユーザによって選択されたことを検出するモード検出部を有し、
前記差分算出部は、前記水深計測モードの選択が検出された場合に、前記差分を算出する、
請求項２に記載の電子機器。
【請求項４】
前記コントローラは、前記筐体が入水したことを検出する入水検出部を有し、
前記差分算出部は、入水したことが検出された場合に、前記差分を算出する、
請求項２に記載の電子機器。
【請求項５】
前記差分算出部は、前記基準気圧値として、所定値を使用する、
請求項２乃至４のいずれかに記載の電子機器。
【請求項６】
前記差分算出部は、前記基準気圧値として、前記水深計測モードの選択が検出されたときに前記気圧センサによって検出された気圧値を使用する、
請求項２に記載の電子機器。
【請求項７】
前記差分算出部は、前記基準気圧値として、入水したことが検出されたときに前記気圧センサによって検出された気圧値を使用する、
請求項３に記載の電子機器。
【請求項８】
前記筐体内に配置され、前記筐体内の気温を検出する温度センサをさらに備え、
前記コントローラは、前記温度センサによって検出される検出気温値に基づいて前記検出気圧値を補正する気圧値補正部を有し、
前記差分算出部は、前記検出気圧値として、前記気圧値補正部によって補正された気圧値を使用する、
請求項２乃至７のいずれかに記載の電子機器。
【請求項９】
水密構造を有する筐体と、
前記筐体内に配置され、前記筐体内の気圧を検出する気圧センサと、
前記気圧センサによって検出される検出気圧値に基づいて、前記筐体にかかる水圧及び前記筐体の水深のうち少なくとも一方を算出するコントローラと、
光電変換によって画像データを生成する撮像手段と、
を備える撮像装置。
【請求項１０】
前記コントローラによって算出される前記水圧及び前記水深のうち少なくとも一方に基づいて前記画像データにホワイトバランス補正、色再現補正、及びガンマ補正のうち少なくとも一つを施す画像処理部をさらに備える、
請求項９に記載の撮像装置。
【発明の詳細な説明】
【技術分野】
【０００１】
ここに開示されている技術は、気圧センサを備える電子機器及び撮像装置に関する。
【背景技術】
【０００２】
従来、水密構造を有する筐体から露出する水圧センサによって水圧を直接検出する手法が知られている（特許文献１参照）。
【先行技術文献】
【特許文献】
【０００３】
【特許文献１】特開昭５５−１４０８２８号公報
【発明の概要】
【発明が解決しようとする課題】
【０００４】
しかしながら、この手法では、水密性を保持しながら水圧センサを筐体から露出させるために、複雑な取り付け構造が採用されている。
【０００５】
ここに開示されている技術は、上述の状況に鑑みてなされたものであり、簡易な構造で水圧（水深）と大気圧を測定可能な電子機器及び撮像装置を提供することを目的とする。
【課題を解決するための手段】
【０００６】
ここに開示される電子機器は、通気孔と通気孔を塞ぐ防水通気膜とを有する水密構造の筐体と、筐体内に配置され、筐体内の気圧を検出する気圧センサと、気圧センサによって検出される検出気圧値に基づいて、筐体にかかる水圧及び筐体の水深のうち少なくとも一方を算出するコントローラと、を備える。
【発明の効果】
【０００７】
ここに開示されている技術によれば、簡易な構造で水圧（水深）と大気圧を測定可能な電子機器及び撮像装置を提供することができる。
【図面の簡単な説明】
【０００８】
【図１】実施形態に係るデジタルカメラの正面斜視図である。
【図２】実施形態に係るデジタルカメラの後面斜視図である。
【図３】実施形態に係る筐体の正面図である。
【図４】実施形態に係る筐体の後面斜視図である。
【図５】実施形態に係る筐体の分解斜視図である。
【図６】図３のVI−VI断面図である。
【図７】実施形態に係るデジタルカメラの機能ブロック図である。
【図８】実施形態に係るコントローラの機能ブロック図である。
【図９】統合ＬＳＩの動作を説明するためのフロー図である。
【発明を実施するための形態】
【０００９】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１０】
なお、以下の実施形態では、「撮像装置」の一例としてデジタルカメラを例に挙げて説明する。以下の説明において、「前」「後」「上」「下」「右」「左」は、被写体に正対する横撮り姿勢のデジタルカメラを基準とする用語である。なお、横撮り姿勢とは、横長矩形画像の長辺方向が画像内の水平方向と略一致する場合におけるデジタルカメラの姿勢である。
【００１１】
（デジタルカメラ１の概略構成）
実施形態に係るデジタルカメラ１の概略構成について、図面を参照しながら説明する。図１は、実施形態に係るデジタルカメラ１の正面斜視図である。図２は、実施形態に係るデジタルカメラ１の後面斜視図である。
【００１２】
デジタルカメラ１は、筐体１０と、前カバー２０と、後カバー３０と、操作ユニット４０と、光学系５０と、液晶モニタ６０と、フラッシュ６５と、を備える。
【００１３】
筐体１０は、水密構造を有する収容箱である。筐体１０の外形は、水中に入れられると水圧に応じて変形する。筐体１０の変形量は、水深が大きくなるほど増加する。このような筐体１０は、可撓性及び弾性を有する材料によって構成されることが好ましい。
【００１４】
前カバー２０は、筐体１０の前面に取り付けられる。後カバー３０は、筐体１０の後面に取り付けられる。操作ユニット４０は、筐体１０の後面に取り付けられており、後カバー３０から露出する。
【００１５】
操作ユニット４０は、ユーザの各種操作を受け付ける。本実施形態において、操作ユニット４０は、撮影モードの一つとして水深測定モードの選択操作を受け付ける。光学系５０は、筐体１０の前面に取り付けられており、前カバー２０から露出する。光学系５０は、撮影時に外部光を筐体１０の内部に取り入れる。液晶モニタ６０は、筐体１０の後面に取り付けられており、後カバー３０から露出する。液晶モニタ６０には、撮像画像が表示される。フラッシュ６５は、筐体１０の前面に取り付けられており、前カバー２０から露出する。
【００１６】
（筐体１０の内部構成）
図３は、実施形態に係る筐体１０の正面図である。図４は、実施形態に係る筐体１０の後面斜視図である。図５は、実施形態に係る筐体１０の分解斜視図である。図６は、図３のVI−VI断面図である。
【００１７】
筐体１０は、前板７０と後板８０とによって構成されており、筐体１０の内部には、制御基板９０が配置されている。前板７０と後板８０は、筐体１０の水密性を確保するために密着されている。制御基板９０は、前板７０と後板８０との間（すなわち、筐体１０内）に密封されている。
【００１８】
前板７０は、通気孔７１と、防水通気膜７２と、を有する。通気孔７１は、筐体１０の内外に連通している。防水通気膜７２は、通気孔７１を塞いでいる。防水通気膜７２は、通気性を有する材料によって構成される。そのため、デジタルカメラ１が空気中に位置する場合、筐体１０内の気圧は大気圧と一致する。また、防水通気膜７２は、防水性を有する材料によって構成される。そのため、デジタルカメラ１が水中に位置する場合、通気孔７１からの水の侵入が抑止される。防水通気膜７２の材料としては、例えば、ジャパンゴアテックス社の「ＧＯＲＥ−ＴＥＸ（登録商標）」などを用いることができる。
【００１９】
なお、前板７０と光学系５０及びフラッシュ６５との間には、図示しない防水テープが取り付けられる。また、後板８０と操作ユニット４０及び液晶モニタ６０との間には、図示しないパッキンが取り付けられる。
【００２０】
制御基板９０は、基板本体９１と、基板本体９１の前面に載置されるセンサユニット９２、カードスロット９３及びＡＦＥ（Ａｎａｌｏｇ  Ｆｒｏｎｔ  Ｅｎｄ）９４と、基板本体９１の後面に載置される統合ＬＳＩ１００と、を有する。
【００２１】
基板本体９１は、各種電子部品を載置するための板状部材である。
【００２２】
センサユニット９２は、図６に示すように、気圧センサ９２ａと、温度センサ９２ｂと、を有する。気圧センサ９２ａは、筐体１０内の気圧を検出する。デジタルカメラ１が空気中に位置する場合、気圧センサ９２ａによる検出気圧値Ｐは、大気圧と一致する。また、デジタルカメラ１が水中に位置する場合、気圧センサ９２ａによる検出気圧値Ｐは、筐体１０の水深が深くなるほど、すなわち、筐体１０内の体積が小さくなるほど上昇する。温度センサ９２ｂは、筐体１０内の気温を検出する。
【００２３】
カードスロット９３は、メモリカードを着脱可能に挿入するためのスロットである。ＡＦＥ９４は、後述するＣＣＤイメージセンサ９５（図７参照、「撮像手段」の一例）により生成された画像データに対して、雑音抑圧処理、Ａ／Ｄコンバータの入力レンジ幅への増幅処理及びＡ／Ｄ変換処理などを施す。
【００２４】
統合ＬＳＩ１００は、デジタルカメラ１が備える各種電子部品の動作を統括制御する。統合ＬＳＩ１００の構成については後述する。
【００２５】
（デジタルカメラ１の機能構成）
図７は、実施形態に係るデジタルカメラ１の機能構成を示す機能ブロック図である。なお、以下の説明では、上述した構成以外の構成について主に説明する。
【００２６】
光学系５０は、フォーカスレンズ５１、ズームレンズ５２、絞り５３およびシャッタ５４を有する。フォーカスレンズ５１は、被写体のフォーカス状態を調節する。ズームレンズ５２は、被写体の画角を調節する。絞り５３は、ＣＣＤイメージセンサ９５に入射する光量を調節する。シャッタ５４は、ＣＣＤイメージセンサ９５に入射する光の露出時間を調節する。フォーカスレンズ５１、ズームレンズ５２、絞り５３およびシャッタ５４それぞれは、ＤＣモータ又はステッピングモータ等の駆動ユニットにより、コントローラ１１０から送信される制御信号に従って駆動される。
【００２７】
ＣＣＤイメージセンサ９５は、本実施形態に係る「撮像手段」の一例である。ＣＣＤイメージセンサ９５は、光電変換によって画像データを生成する。
【００２８】
統合ＬＳＩ１００は、コントローラ１１０と、画像処理部１２０と、バッファメモリ１３０と、フラッシュメモリ１４０と、を有する。
【００２９】
コントローラ１１０は、デジタルカメラ１全体の動作を統括制御する。コントローラ１１０は、ＲＯＭおよびＣＰＵ等により構成される。ＲＯＭには、ファイル制御、オートフォーカス制御（ＡＦ制御）、自動露出制御（ＡＥ制御）、フラッシュ６５の発光制御に関するプログラムの他、デジタルカメラ１全体の動作を統括制御するためのプログラムが格納されている。
【００３０】
本実施形態において、コントローラ１１０は、モード検出部１１１、気圧値補正部１１２、差分算出部１１３、及び水深算出部１１４を有する。コントローラ１１０は、操作ユニット４０において水深測定モードの選択操作がユーザから受け付けられた場合、気圧センサ９２ａによって検出される検出気圧値Ｐに基づいて、筐体１０の水深値Ｄを算出する。この際、コントローラ１１０は、フラッシュメモリ１４０から基準気圧値Ｐ０及び基準気温値ｔ０を読み出す。コントローラ１１０の機能構成及び動作については後述する。
【００３１】
なお、コントローラ１１０は、プログラムを実行するマイクロコンピュータやハードワイヤードな電子回路によって構成することができる。
【００３２】
画像処理部１２０は、ＡＦＥ９４により各種処理が施された画像データに対して、ホワイトバランス補正、色再現補正、ガンマ補正、スミア補正、ＹＣ変換処理、電子ズーム処理等の処理を施す。本実施形態において、画像処理部１２０は、筐体１０の水深値Ｄが所定の閾値（例えば、３ｍ程度）を超えた場合に、画像データにホワイトバランス補正、色再現補正、及びガンマ補正を施す。この際、画像処理部１２０は、撮像画像の青みが強くなる（すなわち、撮像画像の赤みが減衰する）ことを抑えるようにホワイトバランス補正、色再現補正、及びガンマ補正を施す。
【００３３】
なお、画像処理部１２０は、プログラムを実行するマイクロコンピュータやハードワイヤードな電子回路によって構成することができる。
【００３４】
バッファメモリ１３０は、コントローラ１１０及び画像処理部１２０のワークメモリとして機能する揮発性の記憶媒体である。本実施形態において、バッファメモリ１３０は、ＤＲＡＭである。
【００３５】
フラッシュメモリ１４０は、デジタルカメラ１の内部メモリである。フラッシュメモリ１４０は、不揮発性の記録媒体である。本実施形態において、フラッシュメモリ１４０には、基準気圧値Ｐ０及び基準気温値ｔ０が格納されている。
【００３６】
（検出気圧値Ｐから水深値Ｄを計測する仕組み）
デジタルカメラ１は通気孔７１を防水通気膜７２で塞いでいる。大気中では、気圧変化が生じても、防水通気膜７２の通気性により、筐体１０の内圧も追従する。これにより、筐体１０の内圧は大気圧と等しくなる。
【００３７】
デジタルカメラ１の高度を徐々に下げて、水面下に入った直後は、筐体１０内の気圧は、水面の高度における気圧とほぼ等しくなる。その後、水中に沈んでいく過程において、筐体１０が水圧により変形しないと仮定すれば、筐体１０内の気圧は変化しない。しかしながら実際には、デジタルカメラ１の筐体１０は、水深が深くなるにつれて高くなる水圧により、徐々に変形していく。この変形に伴って、筐体１０内の気圧は徐々に高くなっていく。この筐体１０内の気圧変化を測定することで、外部の水圧（水深値Ｄ）を推定することができる。これが、本実施形態のデジタルカメラ１における、水深値Ｄを計測（推定）する仕組みである。
【００３８】
すなわち、水圧による筐体１０の変形に起因する筐体１０内の気圧変化量を、気圧センサ９２ａで計測し、この気圧変化量に基づいて水圧（水深値Ｄ）を推定することができる。なお、筐体１０内部の気圧変化量と水圧（水深値Ｄ）の関係は、所定の非線形関数（以下、「水深算出関数」という。）で近似することができる。
【００３９】
（コントローラ１１０の機能構成）
図８は、実施形態に係るコントローラ１１０の機能構成を示す機能ブロック図である。
【００４０】
コントローラ１１０は、モード検出部１１１と、気圧値補正部１１２と、差分算出部１１３と、水深算出部１１４と、を有する。
【００４１】
モード検出部１１１は、水深計測モードか否かを判断する。水深計測モードの設定および解除は、操作ユニット４０によって行われる。モード検出部１１１が水深計測モードであると判断した場合、気圧値補正部１１２にその旨を通知する。
【００４２】
気圧値補正部１１２は、フラッシュメモリ１４０に記憶されている基準温度値ｔ０と、気圧センサ９２ａによって検出された検出気圧値Ｐと、温度センサ９２ｂによって検出された検出温度値ｔとに基づいて、検出気圧値Ｐの温度補正を行う。具体的に、気圧値補正部１１２は、補正後の気圧値Ｐ’を、次の式（１）によって算出する。
【００４３】
Ｐ’＝Ｐ×（２７３．２＋ｔ０）／（２７３．２＋ｔ）    ・・・（１）
差分算出部１１３は、フラッシュメモリ１４０に記憶した基準気圧値Ｐ０と、気圧値補正部１１２によって算出された補正後の気圧値Ｐ’との差分ΔＰを算出する。この差分ΔＰは、基準気圧値Ｐ０を０に換算した相対的な気圧の変化量である。
【００４４】
水深算出部１１４は、水深算出関数と差分検出部１０２によって求められた差分ΔＰとに基づいて、水深値Ｄを算出する。水深算出部１１４は、算出した水深値Ｄを液晶モニタ６０に表示する。また、水深算出部１１４は、算出した水深値Ｄが所定の水深（例えば、３ｍ程度）を超えた場合は、画像処理部１２０にその旨を通知する。画像処理部１２０は、水深算出部１１４からの通知に応じて、画像データのホワイトバランス補正、色再現補正、及びガンマ補正を実施する。
【００４５】
（統合ＬＳＩ１００の動作）
実施形態に係る統合ＬＳＩ１００の動作について、図面を参照しながら説明する。図９は、統合ＬＳＩ１００の動作を説明するためのフロー図である。以下においては、モード検出部１１１において水深測定モードが検出されたものとして説明する。
【００４６】
ステップＳ１０において、コントローラ１１０は、フラッシュメモリ１４０に記録された基準気圧値Ｐ０、基準温度値ｔ０を読み出す。
【００４７】
ステップＳ２０において、コントローラ１１０は、水深計測モードが継続されているか否かを判断する。水深計測モードが継続されている場合、処理はステップＳ３０に進む。モード検出部１１１において水深計測モードの解除が検出された場合は水深計測処理を終了する。
【００４８】
ステップＳ３０において、コントローラ１１０は、気圧センサ９２ａによって出力された検出気圧値Ｐ、温度センサ９２ｂによって出力された検出温度値ｔを検出する。
【００４９】
ステップＳ４０において、コントローラ１１０は、ステップＳ１０で読み出した基準温度値ｔ０と、ステップＳ３０で検出された検出温度値ｔ及び検出気圧値Ｐより温度補正後の検出気圧値Ｐ’を求める。
【００５０】
ステップＳ５０において、コントローラ１１０は、ステップＳ１０で読み出した基準気圧値Ｐ０とステップＳ４０で算出した温度補正後の検出気圧値Ｐ’との差分ΔＰを算出する。
【００５１】
ステップＳ６０において、コントローラ１１０は、ステップＳ５０で求めた差分ΔＰと水深算出関数とを用いて、水深値Ｄを求める。
【００５２】
ステップＳ７０において、コントローラ１１０は、ステップＳ６０で求めた水深値Ｄを液晶モニタ６０に表示する。
【００５３】
ステップＳ８０において、コントローラ１１０は、ステップＳ６０で求めた水深値Ｄが所定の閾値（例えば、３ｍ程度）を超えているか否かを判断する。所定の閾値を超えている場合、処理はステップＳ９０へ移行する。所定の閾値を超えていない場合、処理はステップＳ２０へ移行する。
【００５４】
ステップＳ９０において、画像処理部１２０は、画像データにホワイトバランス補正、色再現補正、及びガンマ補正を行う。
【００５５】
（作用及び効果）
（１）実施形態に係るデジタルカメラ１において、水密構造の筐体１０は、通気孔７１を塞ぐ防水通気膜７２を有する。コントローラ１１０は、筐体１０内の気圧センサ９２ａによって検出される検出気圧値Ｐに基づいて、筐体１０の水深値Ｄを算出する。
【００５６】
このように、気圧センサ９２ａが筐体１０内に配置されるので、筐体１０から気圧センサ９２ａを露出させる必要がない。また、気圧センサ９２ａの検出結果によって水深値Ｄを測定できるので、気圧センサ９２ａとは別に水圧センサを設ける必要がない。さらに、通気孔７１が防水通気膜７２によって塞がれているので、筐体１０が空気中に位置する場合には、気圧センサ９２ａによって大気圧を検出できる。以上より、簡易な構造で水深と大気圧とを測定することができる。
【００５７】
（２）コントローラ１１０は、検出気圧値Ｐと基準気圧値Ｐ０との差分ΔＰを算出する差分算出部１１３と、差分ΔＰに基づいて水深値Ｄを算出する水深算出部１１４と、を有する。
【００５８】
従って、コントローラ１１０は、基準気圧値Ｐ０を基準とする相対的な気圧の変化量に応じて、水深値Ｄを簡易に算出することができる。
【００５９】
（３）差分算出部１１３は、水深計測モードの選択が検出された場合に、差分ΔＰを算出する。従って、入水を自動検知するための機能を備える必要がないので、より簡易な構造で水深と大気圧とを測定することができる。
【００６０】
（４）差分算出部１１３は、基準気圧値Ｐ０として所定値を使用する。従って、基準気圧値Ｐ０を検出或いは算出する必要がないので、簡易かつ迅速に水深値Ｄの算出処理を開始することができる。
【００６１】
（５）コントローラ１１０は、温度センサ７２ｂによる検出気温値ｔに基づいて検出気圧値Ｐを補正する気圧値補正部１１２を有する。差分算出部１１３は、気圧値補正部１１２によって補正された検出気圧値Ｐ’を使用する。
【００６２】
従って、筐体１０内の気温変化によって水深値Ｄに誤差が生じることを抑制できるので、より精度良く水深値Ｄを算出することができる。
【００６３】
（６）デジタルカメラ１は、コントローラ１１０によって算出される水深値Ｄに基づいて画像データに補正を施す画像処理部１２０を備える。画像処理部１２０は、水深値Ｄが所定の閾値を超えた場合に、ホワイトバランス補正、色再現補正、及びガンマ補正を行う。
【００６４】
これらの補正によって、撮像画像の青みが強くなることを抑えることができるので、撮像画像の品質を向上させることができる。
【００６５】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００６６】
（Ａ）上記実施形態において、コントローラ１１０は、ユーザによって水深測定モードが選択された場合に、水深値Ｄの算出処理を開始することとしたが、これに限られるものではない。デジタルカメラ１が、筐体１０の入水を検出する入水検出部を備えている場合には、筐体１０の入水が検出されたときに水深値Ｄの算出を開始することとしてもよい。この場合、入水を自動検知できるので、ユーザの操作に応じて水深値Ｄの算出処理を開始する場合に比べて、より精度良く水深値Ｄを測定することができる。なお、コントローラ１１０は、例えば、筐体１０の外表面上に設けられた一対の電極間における電圧変化に応じて筐体１０の入水を検出する入水検出部を有していればよい。
【００６７】
（Ｂ）上記実施形態において、コントローラ１１０は、基準気圧値Ｐ０及び基準気温値ｔ０としてフラッシュメモリ１４０に格納された所定値を使用することとしたが、これに限られるものではない。
【００６８】
例えば、コントローラ１１０は、基準気圧値Ｐ０として、水深計測モードの選択が検出されたときの検出気圧値Ｐを使用してもよい。この場合には、水深値Ｄの算出処理を開始する時点における大気圧の大小を考慮して水深値Ｄを算出することができる。そのため、より精度良く水深値Ｄを算出することができる。
【００６９】
また、コントローラ１１０は、基準気圧値Ｐ０として、上述の入水検出部によって筐体１０の入水が検出されたときの検出気圧値Ｐを使用してもよい。この場合には、入水時点の検出気圧値Ｐを基準にできるので、より精度良く水深値Ｄを算出することができる。
【００７０】
さらに、コントローラ１１０は、基準気圧値Ｐ０として、ユーザによって指定された時点における検出気圧値Ｐを使用してもよい。この場合には、上述の入水検出部がない場合であっても、入水時点を精度良く把握できるので、より精度良く水深値Ｄを算出することができる。
【００７１】
（Ｃ）上記実施形態において、画像処理部１２０は、水深値Ｄが所定の閾値を超えた場合に、ホワイトバランス補正、色再現補正、及びガンマ補正を行うこととしたが、これに限られるものではない。例えば、画像処理部１２０は、水深値Ｄが大きくなるにしたがって徐々にホワイトバランス補正、色再現補正、及びガンマ補正それぞれの強度を大きくしてもよい。この場合には、水深値Ｄに応じて補正強度を変更できるので、撮像画像の品質をより向上させることができる。
【００７２】
また、画像処理部１２０は、撮像画像の青みが強くなることを抑えるために、ホワイトバランス補正、色再現補正、及びガンマ補正のうち少なくとも一つの補正を行うこととしてもよい。
【００７３】
（Ｄ）上記実施形態において、水深算出部１１４は、水深値Ｄを算出することとしたが、これに限られるものではない。水深算出部１１４は、水深値Ｄに代えて“水圧値”を算出してもよい。このような“水圧値”は、上記実施形態にて説明した水深算出関数と類似する関数によって算出することができる。
【００７４】
（Ｅ）上記実施形態では、「電子機器」の一例としてデジタルカメラ１（「撮像装置」の一例）を挙げて説明したが、これに限られるものではない。「電子機器」としては、ビデオカメラ、携帯電話、ＩＣレコーダーなどが挙げられる。
【００７５】
このように、本発明はここでは記載していない様々な実施形態等を含むことは勿論である。従って、本発明の技術的範囲は上記の説明から妥当な特許請求の範囲に係る発明特定事項によってのみ定められるものである。
【産業上の利用可能性】
【００７６】
本発明によれば、簡易な構造で水圧（水深）と大気圧を測定可能な電子機器及び撮像装置を提供できるので、電子機器及び撮像装置の分野において利用可能である。
【符号の説明】
【００７７】
１…デジタルカメラ
１０…筐体
２０…前カバー
３０…後カバー
４０…操作ユニット
５０…光学系
５１…フォーカスレンズ
５２…ズームレンズ
５３…絞り
５４…シャッタ
６０…液晶モニタ
６５…フラッシュ
７０…前板
７１…通気孔
７２…防水通気膜
８０…後板
９０…制御基板
９１…基板本体
９２…センサユニット
９２ａ…気圧センサ
９２ｂ…温度センサ
９３…カードスロット
９４…ＡＦＥ
９５…ＣＣＤイメージセンサ
１００…統合ＬＳＩ
１１０…コントローラ
１１１…モード検出部
１１２…気圧値補正部
１１３…差分算出部
１１４…水深算出部
１２０…画像処理部
１３０…バッファメモリ
１４０…フラッシュメモリ
【図１】
2012163938.tif 000003
【図２】
2012163938.tif 000004
【図３】
2012163938.tif 000005
【図４】
2012163938.tif 000006
【図５】
2012163938.tif 000007
【図６】
2012163938.tif 000008
【図７】
2012163938.tif 000009
【図８】
2012163938.tif 000010
【図９】
2012163938.tif 000011